(57)【要約】
　【課題】　基本形が略円形で、且つ、自動販売機メーカーやユーザーによって異なる種々雑多な形状の取付孔に対して、ハーフダミー体を共通して取付可能にするアダプターを提供する。
　【解決手段】　自動販売機の展示室２のステージ３に形成された丸形ダミー体６を取り付けるための略円形状の取付孔５にハーフダミー体４を取り付けるためのアダプターＡであって、取付孔５周囲のステージ３に載置可能な底板８の前部に、取付孔５の前縁と係合する第一係止部９ａを設け、底板８の後部には、取付孔５の後縁と係合する第二係止部９ｂを、前後方向に弾性変形可能な板ばね状弾性片１０を介して連設し、ハーフダミー体４の底部４ａを底板８の上部に弾性的に挟持する挟持片１１を設けてある。
　【選択図】　図３
0003099143.tif 000002
【実用新案登録請求の範囲】
【請求項１】
　自動販売機の展示室のステージに形成された丸形ダミー体を取り付けるための略円形状の取付孔にハーフダミー体を取り付けるためのアダプターであって、取付孔周囲のステージに載置可能な底板の前部に、取付孔の前縁と係合する第一係止部を設け、底板の後部には、取付孔の後縁と係合する第二係止部を、前後方向に弾性変形可能な板ばね状弾性片を介して連設し、ハーフダミー体の底部を底板の上部に挟持する挟持片を設けたことを特徴とする自動販売機のハーフダミー体用アダプター。
【請求項２】
　板ばね状弾性片が断面逆Ｕ字状に形成されて摘み部に兼用されていることを特徴とする請求項１に記載の自動販売機のハーフダミー体用アダプター。
【請求項３】
　挟持片が上下方向に弾性変形可能に構成され、挟持片の下面と底板の上面とで、ハーフダミー体の底部を弾性的に挟持するようにしたことを特徴とする請求項１又は２に記載の自動販売機のハーフダミー体用アダプター。
【請求項４】
　自動販売機の展示室のステージに形成された丸形ダミー体を取り付けるための略円形状の取付孔にハーフダミー体を取り付けるためのアダプターであって、取付孔周囲のステージに載置可能な半円状の水平板部とその直線状後縁から立ち上がった垂直板部とから成る底板と、底板の後部に連設された板ばね状弾性片とを備え、当該板ばね状弾性片は、前記垂直板部の長手方向中央部から上方へ垂直に立ち上がった立ち上がり片と、立ち上がり片の上端から後方へ連設された湾曲片と、湾曲片の後端から下方へ垂直に垂下した垂下片とで断面逆Ｕ字状に形成されて摘み部に兼用できるように構成され、前記底板の水平板部の前部に、取付孔の前縁と係合する第一係止部を設け、前記板ばね状弾性片の垂下片の下端に、取付孔の後縁と係合する第二係止部を設け、前記水平板部の上部には、前記垂直板部から前方へ片持ち支持された状態に延設された挟持片を設け、当該挟持片を、前端部が後ろ下がりに傾斜し、前後方向中央部が平坦で且つ前後両端部よりも下方へ凹入した断面形状として、挟持片の前後方向中央部下面と水平板部上面とでハーフダミー体の底部を弾性的に挟持するようにしたことを特徴とする自動販売機のハーフダミー体用アダプター。
【考案の詳細な説明】
【技術分野】
【０００１】
　本考案は、自動販売機の展示室のステージに形成された丸形ダミー体を取り付けるための略円形状の取付孔に、ハーフダミー体を取り付けるためのアダプターに関するものである。
【背景技術】
【０００２】
【特許文献１】特開平８−３０５９３９号公報
【０００３】
　自動販売機で販売されるジュース、コーヒー、ビール等の飲料は、従来、金属缶などに見られるように、円筒形に近い単純な形状の容器に入れて販売されていた。ところが、ペットボトルの出現以来、商品の美観を高め、販売促進を図るために、複雑な形状の容器に入れて販売されるようになってきている。
　円筒形に近い単純な形状の容器に対するダミー体の場合は、様々な周知の方法により、ラベル保持体と商品表示ラベルとで丸形ダミー体、つまり、円筒形に近い単純な形状のダミー体を構成し、ラベル保持体に対して商品表示ラベルを簡単に着脱することができた。ところが、複雑な形状の容器に対するダミー体の場合には、商品表示ラベルの貼り付け、ダミー体への印刷、キャップの装着など、複雑な工程が必要となる。
【０００４】
　そこで、丸形ダミー体が用いられていた既存の自動販売機のダミー体展示室をそのまま使用できるという条件を満たすと同時に、ダミー体の大量生産によるコストダウンまで可能にするために、容器を縦に半分あるいは略半分に割った形状のハーフダミー体、つまり、ボトル等の形状、図柄（ラベル、キャップを含む。）が予め印刷された樹脂シートを真空成形又は圧空成形することによって立体感を与えた縦割りのハーフダミー体が考え出された。
【０００５】
　このハーフダミー体を既存の自動販売機のダミー体展示室に装着する手段としては、ハーフダミー体の下部側に湾曲凹溝形状の係止部を形成しておき、ハーフダミー体の下部側の左右側面を内側に押圧して、ハーフダミー体の横幅を狭くするように撓み変形させた状態で、ハーフダミー体の下部側を、展示室のステージに形成された略円形状の取付孔（丸形ダミー体を取り付けるための取付孔）に差し込み、ハーフダミー体の左右側面に対する押圧力を解除して、元の姿勢に弾性的に復帰させることにより、湾曲凹溝形状の係止部を取付孔の縁部と係合させるのが一般的である。
【０００６】
　しかし、取付孔の縁部の厚さ、換言すれば、ステージを構成する板材の厚さは非常に薄く、これにしっかりと係合させるためには、湾曲凹溝形状の係止部の溝幅を狭くすることが必要であるが、真空成形又は圧空成形によって、そのような細かい精密な成形を行うことは困難であった。即ち、高度な成形及びトリミング技術が要求された。
【考案の開示】
【考案が解決しようとする課題】
【０００７】
上述したとおり、ハーフダミー体は、量産が容易で、コストダウンに有効である反面、ステージを構成する板材が薄肉であることから、これに安定良くしっかりと取り付けられるように、取付孔の縁部とピッタリ係合する狭い溝状の係止部を成形するには、高度な成形及びトリミング技術が要求され、真空成形又は圧空成形では、このような精密な成形が困難であった。
【０００８】
　ところで、現在使われている既存の自動販売機の殆どは、ダミー体展示室のステージに形成されたダミー体取付孔の基本形が略円形であり、細部については、その円形の周囲にダミー体の位置決めや回り止め等を目的とする種々の切欠が形成された種々雑多な取付孔となっている。
【０００９】
　本考案は、上記の事柄に留意してなされたもので、その目的は、基本形が略円形で、且つ、自動販売機メーカーやユーザーによって異なる種々雑多な既存の取付孔に対して、ハーフダミー体を共通して取付可能にするアダプターを提供するものである。
【課題を解決するための手段】
【００１０】
　上記目的を達成するために、本考案が講じた技術的手段は、次のとおりである。即ち、請求項１に記載の考案は、自動販売機の展示室のステージに形成された丸形ダミー体を取り付けるための略円形状の取付孔にハーフダミー体を取り付けるためのアダプターであって、取付孔周囲のステージに載置可能な底板の前部に、取付孔の前縁と係合する第一係止部を設け、底板の後部には、取付孔の後縁と係合する第二係止部を、前後方向に弾性変形可能な板ばね状弾性片を介して連設し、ハーフダミー体の底部を底板の上部に挟持する挟持片を設けたことを特徴としている。
【００１１】
　請求項２に記載の考案は、請求項１に記載の自動販売機のハーフダミー体用アダプターにおいて、板ばね状弾性片が断面逆Ｕ字状に形成されて摘み部に兼用されていることを特徴としている。
【００１２】
　請求項３に記載の考案は、請求項１又は２に記載の自動販売機のハーフダミー体用アダプターにおいて、挟持片が上下方向に弾性変形可能に構成され、挟持片の下面と底板の上面とで、ハーフダミー体の底部を弾性的に挟持するようにしたことを特徴としている。
【００１３】
　請求項４に記載の考案は、自動販売機の展示室のステージに形成された丸形ダミー体を取り付けるための略円形状の取付孔にハーフダミー体を取り付けるためのアダプターであって、取付孔周囲のステージに載置可能な半円状の水平板部とその直線状後縁から立ち上がった垂直板部とから成る底板と、底板の後部に連設された板ばね状弾性片とを備え、当該板ばね状弾性片は、前記垂直板部の長手方向中央部から上方へ垂直に立ち上がった立ち上がり片と、立ち上がり片の上端から後方へ連設された湾曲片と、湾曲片の後端から下方へ垂直に垂下した垂下片とで断面逆Ｕ字状に形成されて摘み部に兼用できるように構成され、前記底板の水平板部の前部に、取付孔の前縁と係合する第一係止部を設け、前記板ばね状弾性片の垂下片の下端に、取付孔の後縁と係合する第二係止部を設け、前記水平板部の上部には、前記垂直板部から前方へ片持ち支持された状態に延設された挟持片を設け、当該挟持片を、前端部が後ろ下がりに傾斜し、前後方向中央部が平坦で且つ前後両端部よりも下方へ凹入した断面形状として、挟持片の前後方向中央部下面と水平板部上面とでハーフダミー体の底部を弾性的に挟持するようにしたことを特徴としている。
【考案の効果】
【００１４】
　上記のアダプターを使用すれば、既存の自動販売機のダミー体展示室のステージに形成された丸形ダミー体を取り付けるための基本形が略円形で、種々雑多な取付孔に、ハーフダミー体をしっかりと取り付けることができる。尚、取付孔の基本形は円形ではあるが、逆に、この種のアダプターが取り付けられ可能な場合、如何なる取付孔にでも適用可能であることは言うまでもない。
【００１５】
　即ち、上記のアダプターは、板ばね状弾性片を前後方向に弾性変形させることにより、第一係止部と第二係止部との間隔を取付孔の直径以下に短縮できるので、例えば、先ず、第一係止部を取付孔の前縁と係合させ、次に、板ばね状弾性片の弾性変形により第二係止部を前方へ移動させた状態で取付孔に挿入し、板ばね状弾性片を変形前の状態に少し戻すことによって、第二係止部を取付孔の後縁と係合させることができる。
【００１６】
　これにより、底板が取付孔周囲のステージに載置され、第一係止部が取付孔の前縁と係合し、第二係止部が取付孔の後縁と係合した状態となり、アダプターが略円形状の取付孔に安定的に取り付けられ、この状態で、ハーフダミー体の底部を挟持片の下に差し込んで、挟持させることによって、ハーフダミー体が略円形状の取付孔にしっかりと取り付けられることになる。また、逆の手順によってハーフダミー体やアダプターを取り外すことができ、丸形ダミー体と入れ替えることができる。
【００１７】
　請求項２に記載の考案によれば、板ばね状弾性片が断面逆Ｕ字状に形成されて摘み部に兼用されているので、板ばね状弾性片を前後方向に弾性変形させる操作が容易であり、取付孔に対するアダプターの着脱を容易に行える利点がある。
【００１８】
　請求項３に記載の考案によれば、挟持片が上下方向に弾性変形可能に構成され、挟持片の下面と底板の上面とで、ハーフダミー体の底部を弾性的に挟持するので、ハーフダミー体が一層確実に取り付けられることになる。
【００１９】
　殊に、請求項４に記載の考案によれば、上記の諸効果に加えて、次の効果が得られるのである。即ち、挟持片を、前端部が後ろ下がりに傾斜し、前後方向中央部が平坦で且つ前後両端部よりも下方へ凹入した断面形状として、挟持片の前後方向中央部下面と水平板部上面とでハーフダミー体の底部を弾性的に挟持するようにしたので、樹脂シートで成形された薄肉のハーフダミー体であっても、後ろ下がりに傾斜した挟持片の前端部下面をガイドにして、ハーフダミー体の底部を挟持片の下に容易に差し込むことができ、しかも、挟持片の前後方向中央部下面を平坦にしてあるので、ハーフダミー体の底部が薄肉であっても、挟持片の前後方向中央部下面と水平板部上面とで確実に弾性的に挟持することができる。
【００２０】
　また、アダプターを、例えばポリプロピレン、ポリカーボネイト、ポリエチレンテレフタレート等およびそれらの再生品で成形する場合、底板が、取付孔周囲のステージに載置可能な半円状の水平板部とその直線状後縁から立ち上がった垂直板部とから構成されているので、垂直板部が補強材となり、薄肉に成形しても、強度を確保できることと、底板が半円状で材料樹脂の使用量が少なくて済むこととによって、アダプターの製造コストを低減できる。
【考案を実施するための最良の形態】
【００２１】
　以下、本考案の実施形態を、図を参照しながら説明する。図１は、飲料の自動販売機を示し、この自動販売機は、前面に商品補充用の開閉可能な扉１を備えている。扉１の上部には、ダミー体展示室２が、例えば上下二段に形成されている。各ダミー体展示室２の底面を形成するステージ３には、図１、図２に示すように、必要に応じてハーフダミー体４用のアダプターＡが装着される複数の取付孔５が形成されている。これらの取付孔５は、図３に示すように、元来、丸形ダミー体６を取り付けるためのもので、縁部の一部に丸形ダミー体６の回り止めや抜け止めを行うための切欠部が形成されているが、全体として、略円形状に形成されている。
【００２２】
　尚、ハーフダミー体４、丸形ダミー体６、アダプターＡは、何れも、例えばポリプロピレン、ポリカーボネイト、ポリエチレンテレフタレート等およびそれらの再生品で成形されている。また、図示の例では、ステージ３の下部に、照明用の光源（例えば蛍光灯）７が設けられており、ハーフダミー体４や丸形ダミー体６を下方からライトアップするように構成されているので、アダプターＡは透明な樹脂で成形されているが、ハーフダミー体４や丸形ダミー体６を背後（展示室の背面板）からライトアップする形式の展示室である場合、アダプターＡは、不透明とすることが望ましい。
【００２３】
　前記アダプターＡは、取付孔５周囲のステージ３に載置可能な底板８の前部に、取付孔５の前縁と係合する第一係止部９ａを設け、底板８の後部には、取付孔５の後縁と係合する第二係止部９ｂを、前後方向及び上下方向に弾性変形可能な板ばね状弾性片１０を介して連設し、底板８の上部に、ハーフダミー体４の底部４ａを挟持する左右一対の挟持片１１を設けたものである。板ばね状弾性片１０としては、直線的な断面形状、つまり、上下方向に弾性変形させることによって前後方向にも弾性変形する直線的な板ばね状であってもよいが、図示の例では、前記板ばね状弾性片１０が、断面逆Ｕ字状に形成されて摘み部に兼用されている。前記挟持片１１は、上下方向に弾性変形可能に構成され、挟持片１１の下面と底板８の上面とで、ハーフダミー体４の底部４ａを弾性的に挟持するように構成されている。
【００２４】
　より詳しく説明すると、図 4、図５に示すように、前記底板８は、取付孔５周囲のステージ３に載置可能な半円状の水平板部８ａとその直線状後縁から立ち上がった垂直板部８ｂとから構成されており、前記板ばね状弾性片１０は、垂直板部８ｂの長手方向中央部から上方へ垂直に立ち上がった立ち上がり片１０ａと、立ち上がり片１０ａの上端から後方へ連設された湾曲片１０ｂと、湾曲片１０ｂの後端から下方へ垂直に垂下した垂下片１０ｃとで断面逆Ｕ字状に形成され、摘み部に兼用できるように構成されている。そして、底板８の水平板部８ａの前部に前記第一係止部９ａが設けられ、板ばね状弾性片１０の垂下片１０ｃの下端に前記第二係止部９ｂが設けられている。
【００２５】
　前記挟持片１１は、水平板部８ａの上部に、垂直板部８ｂから前方へ片持ち支持された状態に延設されており、水平板部８ａには、各挟持片１１の平面形状に対応する形状の開口１２が形成されている。前記挟持片１１は、前端部が後ろ下がりに傾斜し、前後方向中央部が平坦で且つ前後両端部よりも下方へ凹入した断面形状とされている。そして、挟持片１１の前後方向中央部下面を開口１２周囲の水平板部８ａ上面よりも低く位置させると共に、挟持片１１の前後両端部下面を開口１２周囲の水平板部８ａ上面よりも高く位置させ、挟持片１１の前後方向中央部下面と開口１２周囲の水平板部８ａ上面とでハーフダミー体４の底部４ａを弾性的に挟持するように構成してある。尚、図示の例では、水平板部８ａの中央に、材料樹脂の使用量を節減するための開口部１３が形成されているが、この開口部１３は省略して実施してもよい。
【００２６】
　上記の構成によれば、板ばね状弾性片１０を指先で摘んで前後方向に弾性変形させることにより、第一係止部９ａと第二係止部９ｂとの間隔を取付孔５の直径以下に短縮できるので、例えば、先ず、第一係止部９ａを取付孔５の前縁と係合させ、次に、板ばね状弾性片１０の弾性変形により第二係止部９ｂを前方へ移動させた状態で取付孔５に挿入し、板ばね状弾性片１０を変形前の状態に少し戻すことによって、第二係止部９ｂを取付孔５の後縁と係合させることができる。
【００２７】
　これにより、底板８の水平板部８ａが取付孔５周囲のステージ３に載置され、第一係止部９ａが取付孔５の前縁と係合し、第二係止部９ｂが取付孔５の後縁と係合した状態となり、アダプターＡが略円形状の取付孔５に安定的に取り付けられ、この状態で、ハーフダミー体４の底部４ａを挟持片１１の下に差し込んで、挟持させることによって、ハーフダミー体４が略円形状の取付孔５にしっかりと取り付けられることになる。また、逆の手順によってハーフダミー体５やアダプターＡを取り外すことができ、丸形ダミー体６と入れ替えることができる。
【００２８】
　殊に、上記の構成によれば、板ばね状弾性片１０が断面逆Ｕ字状に形成されて摘み部に兼用されているので、板ばね状弾性片１０を前後方向に弾性変形させる操作が容易であり、取付孔５に対するアダプターＡの着脱を容易に行えることになる。
【００２９】
　また、挟持片１１を、前端部が後ろ下がりに傾斜し、前後方向中央部が平坦で且つ前後両端部よりも下方へ凹入した断面形状として、挟持片１１の前後方向中央部下面を開口１２周囲の水平板部８ａ上面よりも低く位置させると共に、挟持片１１の前後両端部下面を開口１２周囲の水平板部８ａ上面よりも高く位置させ、挟持片１１の前後方向中央部下面と開口１２周囲の水平板部８ａ上面とでハーフダミー体４の底部４ａを弾性的に挟持するようにしたので、樹脂シートで成形された薄肉のハーフダミー体４であっても、後ろ下がりに傾斜した挟持片１１の前端部下面をガイドにして、ハーフダミー体４の底部４ａを挟持片１１の下に容易に差し込むことができ、しかも、挟持片１１の前後方向中央部下面を平坦にして開口１２周囲の水平板部８ａ上面よりも低く位置させてあるので、ハーフダミー体４の底部４ａが薄肉であっても、挟持片１１の前後方向中央部下面と開口１２周囲の水平板部８ａ上面とで確実に弾性的に挟持することができる。
【図面の簡単な説明】
【００３０】
【図１】一部を取り出して拡大図示した自動販売機の斜視図である。
【図２】ハーフダミー体が取り付けられた状態における要部の縦断側面図である。
【図３】ハーフダミー体用アダプターを説明するための要部の分解斜視図である。
【図４】ハーフダミー体用アダプターの平面図である。
【図５】ハーフダミー体用アダプターの縦断側面図である。
【符号の説明】
【００３１】
　Ａ…アダプター、２…展示室、３…ステージ、４…ハーフダミー体、５…取付孔、６…丸形ダミー体、８…底板、９ａ…第一係止部、９ｂ…第二係止部、１０…板ばね状弾性片１１…挟持片。
【図１】
0003099143.tif 000003
【図２】
0003099143.tif 000004
【図３】
0003099143.tif 000005
【図４】
0003099143.tif 000006
【図５】
0003099143.tif 000007